【事件の表示】
　平成　４年特許願第１８１１４０号「Ｘ線断層像撮影装置」拒絶査定不服審判事件〔平成　６年　２月　１日出願公開、特開平　６−　２２９５０〕について、次のとおり審決する。
【結　論】
　本件審判の請求は、成り立たない。
【理　由】
１．手続の経緯・本願発明
　本願は、平成４年７月８日の出願であって、平成１４年３月８日付けで、請求項１，３に係る発明は、特許法第２９条第２項の規定を満足しないとの拒絶理由通知がされ、平成１４年１０月１０日付けで前記理由に基づいて拒絶査定がなされ、これに対し、平成１４年１１月１４日に審判請求がなされたものであって、その請求項１−５に係る発明は、平成１４年５月１３日付け及び平成１４年１２月１３日付けの手続補正書によって補正された明細書及び図面の記載からみて、特許請求の範囲の請求項１ないし５に記載されたとおりのものであり、請求項５に係る発明は次のものである。
　「【請求項５】架台回転部を有し、前記架台回転部にＸ線管、Ｘ線高電圧装置、光学系機器、検出器及びデータ収集システムの少なくとも１つのユニットが搭載されたＸ線断層像撮影装置において、前記架台回転部の回転中に、前記ユニットが正常に作動するか否かモニタリングするためのメンテナンス用信号を測定する測定器と、前記架台回転部と前記架台回転部の外部との間に、前記メンテナンス用信号を伝送する信号伝送手段を備えることを特徴とするＸ線断層像撮影装置。」
　そして、上記請求項５は、架台回転部に搭載されモニタリングされるユニットを、Ｘ線管およびＸ線高電圧装置の二者として選択した次の発明を含むことが明らかである。（これは、請求項５に択一的に含まれる発明である。以下でこの発明を、「本願発明」という）
　「架台回転部を有し、前記架台回転部にＸ線管とＸ線高電圧装置が搭載されたＸ線断層像撮影装置において、前記架台回転部の回転中に、前記Ｘ線管とＸ線高電圧装置が正常に作動するか否かモニタリングするためのメンテナンス用信号を測定する測定器と、前記架台回転部と前記架台回転部の外部との間に、前記メンテナンス用信号を伝送する信号伝送手段を備えることを特徴とするＸ線断層像撮影装置。」
　
　なお、本願発明は、原審査で拒絶理由通知した補正前の請求項３に係る発明と対応するものであることが明らかである。
　
２．刊行物
　これに対して、原査定の拒絶の理由で引用された刊行物は次のものである。
　刊行物１：特開平３−１７３５３９号公報
　
　刊行物１には、
　「本発明は計算機体軸断層撮影（ＣＡＴ）走査器に関するものであり、更に詳しくいえば、連続回転するようにされたガントリーを用いる種類のＣＡＴ走査器に関するものである。……ＣＡＴ走査器は、しだいに異なる回転角において多数のＸ線映像、すなわち「ビュー」を得るために回転ガントリーを利用する。」（第１頁右下欄第１５−第２頁左上欄第２行）、
　「回転ガントリーはＸ線装置と、各ビューに対する映像データを発生するために必要な電子装置とを含む。したがって、電子装置へ電力を供給するため、とくに、Ｘ線管の動作のための高電圧源を供給するために、回転ガントリーへ電力を供給する必要がある。また、回転ガントリー上の電子装置と１組の静止している電子装置の間で映像データその他の制御情報を通信することが必要である。」（第２頁左上欄第１０−１８行）、
　「ガントリー１１には電子装置２５も含む。この電子装置はガントリー１１とともに回転し、Ｘ線管１５の動作と、ＤＡＳ２１により得られた映像データの収集とのために必要な回路を含む。とくに、この電子装置は高電圧部２６と制御部２７を含む。制御部２７はコンピュータ（図示せず）を含む。制御部は静止電子装置３０へ従属する。この電子装置３０はもちろんガントリー１１から離れて設けられる。静止電子装置３０は、ガントリー１１上の制御部２７へ指令を発するため、および結果としての映像データを受けて処理するために、コンピュータをベースとする装置である。本発明は、ガントリー１１を連続回転できるようにする大きな直径のスリップリングとブラシを用いることにより、静止電子装置３０を回転制御部２７へ結合する通信装置を提供するものである。……。この実施例では、映像データに加えて他の通信データを時分割式に取り扱い、かつ通信オーバヘッドを考慮に入れるために、合計で５５ＭＢ／秒のデータレットが好ましい。」（第４頁右下欄第１３行−第５頁左上欄第８行）、
　「静止出受信回路５８がブラシを介してスリップリング３１へ接続され、受信信号をケーブル５９を介して静止電子装置３０へ結合する。」（第６頁右下欄第３−６行）、
　「通信信号のために、信号スリップリングと呼ばれるスリップリングと、ｄ．ｃ．電源電圧のために、電源スリップリングと呼ばれる、スリップリングとが別々に設けられる（……）。電源スリップリングはｄ．ｃ．電源電圧を種々の駆動回路と、受信回路および終端回路へ供給する。」（第６頁右下欄第１３−１９行）、
　が記載されている。
　
３．刊行物１に記載の発明
　刊行物１の記載からみて、刊行物１には、
　ガントリーを有し、ガントリーにＸ線管と高電圧部が搭載された計算機体軸断層撮影（ＣＡＴ）走査器において、ガントリーとガントリーの外部（静止出受信回路及び静止電子装置が存在する）との間に、ガントリー側で発生した映像データ信号や他の信号をガントリーの外部に伝送するスリップリングとブラシからなる信号伝送手段を備えることを特徴とする計算機体軸断層撮影（ＣＡＴ）走査器、
　の発明が記載されている。
　
４．対比・検討
　本願発明と刊行物１に記載の発明を対比すると、刊行物１の発明における「ガントリー」、「高電圧部」、「計算機対軸断層撮影（ＣＡＴ）走査器」がそれぞれ、本願発明の「架台回転部」、「Ｘ線高電圧装置」、「Ｘ線断層像撮影装置」に相当し、本願発明でメンテナンス用信号は回転架台側で発生した信号であることが明らかであるから、両者は、
　「架台回転部を有し、前記架台回転部にＸ線管およびＸ線高電圧装置が搭載されたＸ線断層像撮影装置において、前記架台回転部と前記架台回転部の外部との間に、回転架台側で発生した信号を伝送する信号伝送手段を備えることを特徴とするＸ線断層像撮影装置。」、
　である点で一致し、次の点で相違する。
　
　相違点
　本願発明のＸ線断層像撮影装置は、「架台回転部の回転中に、Ｘ線管およびＸ線高電圧装置が正常に作動するか否かモニタリングするためのメンテナンス用信号を測定する測定器」を備えるもので、このメンテナンス用信号を架台回転部の外部に信号伝送手段が伝送するのに対し、刊行物１に記載の発明は、それら測定器や、メンテナンス信号の伝送について記載がない点。
　
　前記相違点について検討すると、
　Ｘ線管とＸ線高電圧装置を具備するＸ線発生装置の技術分野において、Ｘ線を発生させた際、Ｘ線管およびＸ線高電圧装置が正常に作動するかどうかをモニタリングするためのメンテナンス用信号を測定装置で測定し、それらをディスプレイ装置で表示することが従来周知であり［例えば、特開平４−２０６１９７号公報第２頁左上欄第１５−同頁右下欄第９行に、メンテナンスのために、Ｘ線管に印加された管電圧を分圧器で検出し、Ｘ線に流れる管電流を電流検出器で検出し、管電圧波形や管電流波形をＣＲＴディスプレイに表示することが記載されている点、および、原審査の拒絶査定の備考欄で示された特開平１−９３０９７号公報第３頁左上欄第１８行−同頁右下欄第１１行に、高電圧回路の異常を中性点異常電流検出回路１０で測定し、異常箇所がどこであるかを発光ダイオードの発光で表示することが記載されている点を参照。また、本願明細書段落０００３の記載からみて、Ｘ線発生装置のメンテナンスのために、Ｘ線管の管電圧及び管電流の波形を測定することが従来周知であることがわかる。］、そのために、メンテナンス用信号を測定する測定装置をＸ線管およびＸ線高電圧装置の近くに取り付けるのは当然のことである（例えば、前記特開平４−２０６１９７号公報第２頁左上欄第１−１０行には、管電圧や管電流の波形観測用の測定器の取付けは高電圧回路部で行う旨記載されている）から、刊行物１記載の発明にこの周知技術を用いて、架台回転部にメンテナンス用信号を測定する測定器を搭載することは当業者ならば容易に想到し得たものと認められる。そして、Ｘ線断層像撮影装置においてＸ線は装置の動作中に発生させるものであるから、架台回転中に、それらメンテナンス信号の測定が行われるようにすることも、当業者が当然に採用する事項であり、また、刊行物１記載の発明は、データその他の情報をスリップリングとブラシからなる伝送手段を利用して外部の静止電子装置へ伝送するものであるから、上記周知技術を用いる際に、メンテナンス用信号を外部に信号伝送手段により伝送することは当業者が普通に採用する事項と認められる。
　
５．むすび
　したがって、本願発明は、刊行物１に記載された発明および従来周知技術に基づいて当業者が容易に発明をすることができたものであるので、その余の請求項について検討するまでもなく、特許法第２９条第２項の規定により特許を受けることができない。
　よって結論のとおり審決する。